(57)【要約】  締結具組立体を提供する。締結具組立体は、雌ねじ部を有するナットと、ナットから延びて細長い締結具のシャンクを受容するように構成された環体とを含む。圧縮カラーは、作用面の周りでナットを締め付けたときに、環体を撓ませて、シャンクと固定係合させるかまたは圧縮カラーに対し環体のばね付勢をもたらすかの少なくとも一方が果たされるように構成される。【選択図】図１
2015515589.tif 000002
【特許請求の範囲】
【請求項１】
雌ねじ部を有するナットと、
前記ナットから延び、かつ、細長い締結具のシャンクを受容するように構成された環体と、
前記ナットを作用面の周りで締め付けたときに、前記環体を撓ませて前記シャンクと固定係合させるように構成された圧縮カラーと、
を備えた締結具組立体。
【請求項２】
前記環体は、前記圧縮カラーの内周に延びるリムを捕獲するショルダを備える、
請求項１に記載の締結具組立体。
【請求項３】
前記環体は、撓みのためにシャンクの周りで前記環体の屈曲点を提供するように前記環体の長さに沿って切欠き部を備える、
請求項１に記載の締結具組立体。
【請求項４】
前記環体は、その内周面にねじを持たない、
請求項１に記載の締結具組立体。
【請求項５】
前記圧縮カラーは、前記環体の漸増する撓みを与えるためのテーパを備える、
請求項１に記載の締結具組立体。
【請求項６】
前記環体は、テーパを備える、
請求項１に記載の締結具組立体。
【請求項７】
前記環体およびナットは、同軸上に整列する、
請求項１に記載の締結具組立体。
【請求項８】
前記圧縮カラーは、前記ナットと前記作用面との間で圧縮されるように構成されている、
請求項１に記載の締結具組立体。
【請求項９】
雌ねじ部を有するナットと、
前記ナットから延び、かつ、細長い締結具のシャンクを受容するように構成された環体と、
前記ナットを作用面の周りで締め付けたときに、前記環体を撓ませて前記環体のばね付勢をもたらすように構成された圧縮カラーと、
を備えた締結具組立体。
【請求項１０】
前記環体は、前記圧縮カラーの内周に延びるリムを捕獲するショルダを備える、
請求項９に記載の締結具組立体。
【請求項１１】
前記環体は、撓みのために前記シャンクの周りで前記環体の屈曲点を提供するように前記環体の長さに沿って切欠き部を備える、
請求項９に記載の締結具組立体。
【請求項１２】
前記環体は、雌ねじ部を備える、
請求項９に記載の締結具組立体。
【請求項１３】
前記圧縮カラーは、前記環体の漸増する撓みを与えるためのテーパを備える、
請求項９に記載の締結具組立体。
【請求項１４】
前記環体は、テーパを備える、
請求項９に記載の締結具組立体。
【請求項１５】
前記環体およびナットは、同軸上に整列する、
請求項９に記載の締結具組立体。
【請求項１６】
前記圧縮カラーは、前記ナットと前記作用面との間で圧縮されるように構成されている、
請求項９に記載の締結具組立体。
【請求項１７】
細長い締結具のシャンクを受容するための開口を備える挿入部と、
前記挿入部から延び、かつ、前記シャンクを受容するように構成された環体と、
圧縮カラーであって、締結具組立体の振動を減衰するために、前記ナットを作用面の周りで締め付けたときに、前記環体を撓ませて前記シャンクと固定係合させ、圧縮カラーに対し前記環体のばね付勢をもたらすように構成された圧縮カラーと、
を備えた締結具組立体。
【請求項１８】
前記環体は、前記圧縮カラーの内周に延びるリムを捕獲するショルダを備える、
請求項１７に記載の締結具組立体。
【請求項１９】
前記環体は、撓みのために前記シャンクの周りで前記環体の屈曲点を提供するように前記環体の長さに沿って切欠き部を備える、
請求項１７に記載の締結具組立体。
【請求項２０】
前記環体は、雌ねじ部を備える、
請求項１７に記載の締結具組立体。
【請求項２１】
前記圧縮カラーは、前記環体の漸増する撓みを与えるためのテーパを備える、
請求項１７に記載の締結具組立体。
【請求項２２】
前記環体は、テーパを備える、
請求項１７に記載の締結具組立体。
【請求項２３】
前記環体および挿入部は、同軸上に整列する、
請求項１７に記載の締結具組立体。
【請求項２４】
前記圧縮カラーは、前記挿入部と前記作用面との間で圧縮されるように構成されている、
請求項１４に記載の締結具組立体。
【発明の詳細な説明】
【技術分野】
【０００１】
本願は、２０１２年３月１４日出願の米国仮特許出願第６１／６１０，６５１号および２０１２年７月２４日出願の米国仮特許出願第６１／６７５，１９２号の優先権を主張し、それらの内容全体を参照によって本書に組み込まれる。
【０００２】
本開示は、締結具および締結具組立体に関し、さらに詳しくは、改善された振動および締結特性を有する締結具および締結具組立体に関する。
【背景技術】
【０００３】
締結具および様々な締結具組立体は、商業、住居、産業等を含む種々の環境で１つ以上の物品を互いに固締するために利用される。これらの締結具は、例えば、ボルトのねじ部が、ナットの協調ねじ部内に受容されるナット‐ボルト組立体とすることができる。ナット‐ボルト組立体は、それらの使用が一様に受け入れられており、製造の費用効率が高く、かつ種々の環境で受入れ可能な性能であるため、推奨される。
【０００４】
従来のナットおよびボルトは、振動荷重やその他の荷重を受けると緩みやすい。振動力および他の力に対抗するために多くの方法が導入されてきた。例えば、一部の使用者は、ナットとボルトとの間の総摩擦力を高めるために、互いに締め付け合う複数のナットを提供することができる。他の方法として、一部分が他の部分に対して高くなった割り座金、すなわち、スプリングワッシャ（ばね座金）が挙げられ、それは、ナットに働く振動力を吸収するためにばね付勢をもたらすように働く。
【０００５】
ナットおよびボルトのような従来の締結具の実効性を高めるために、さらに他の方法が提供されてきた。例えば多部品組立体を有する締結具が採用されてきた。しかし、これらの締結具組立体はコストを増大させるが、求められた実効性を必ずしも持たない。
【０００６】
したがって、これらの不利点に対処する解決策の必要性が存在する。
【発明の概要】
【０００７】
この概要は、精選した概念を簡潔な形で紹介するために提供するものであり、それらについて後で発明を実施するための形態でさらに詳述する。この概要は、請求する対象の重要な特徴または本質的な特徴を明らかにすることを意図するものではなく、請求する対象の範囲を限定するために使用されることを意図するものでもない。
【０００８】
本書に開示するものは締結具組立体である。締結具組立体は、雌ねじ部を有するナットと、ナットから延び、かつ、細長い締結具のシャンクを受容するように構成された環体と、作用面の周りでナットを締め付けたときに、環体を撓ませてシャンクと固定係合させるように構成された圧縮カラーと、を含む。
【０００９】
１つ以上の実施形態では、環体は、圧縮カラーの内周に延びるリム（ｒｉｍ）を捕獲するショルダを備える。
【００１０】
１つ以上の実施形態では、環体は、撓みのためにシャンクの周りで環体の屈曲点をもたらすようにその長さに沿って切欠き部を備える。
【００１１】
１つ以上の実施形態では、環体は、雌ねじ部を備える。
【００１２】
１つ以上の実施形態では、圧縮カラーは、環体の漸増する撓みを提供するためのテーパを備える。
【００１３】
１つ以上の実施形態では、環体は、テーパを備える。
【００１４】
１つ以上の実施形態では、環体およびナットは、同軸上に整列される。
【００１５】
１つ以上の実施形態では、圧縮カラーは、ナットと作用面との間で圧縮されるように構成される。
【００１６】
１つ以上の実施形態では、締結具組立体を提供する。締結具組立体は、雌ねじ部を有するナットと、ナットから延び、かつ、細長い締結具のシャンクを受容するように構成された環体と、作用面の周りでナットを締め付けたときに、圧縮カラーに対し環体のばね付勢をもたらすために圧縮環体を撓ませるように構成された圧縮カラーと、を含む。
【００１７】
１つ以上の実施形態では、環体の内周面は、ねじ山の無い状態にすることができる。この方法により、ばね力だけが振動を散逸させるように働く。
【００１８】
１つ以上の実施形態では、締結具を提供する。締結具は、雌ねじ部を有するナットと、ナットから延び、かつ、細長い締結具のシャンクを受容するように構成された環体であって、さらに、作用面の周りでナットを締め付けたときに、環体を撓ませてシャンクと固定係合するように構成された圧縮カラー内に受容されるように構成された環体と、を含む。
【００１９】
１つ以上の実施形態では、締結具組立体を提供する。締結具組立体は、細長い締結具のシャンクを受容するための開口を備える挿入部と、挿入部から延び、かつ、シャンクを受容するように構成された環体と、締結具組立体の振動を減衰するために、圧縮カラーであって、締結具組立体の振動を減衰するために、前記ナットを作用面の周りで締め付けたときに、前記環体を撓ませて前記シャンクと固定係合させ、圧縮カラーに対し前記環体のばね付勢をもたらすように構成された圧縮カラーと、、を含む。
【図面の簡単な説明】
【００２０】
上記の概要のみならず、好適な実施形態の以下の詳細な説明も、添付の図面に照らし合わせて読むといっそうよく理解される。解説のために、図面には例示的実施形態が示されているが、本書に開示する発明は、開示する特定の方法および手段に限定されない。
【００２１】
【図１】本書に開示する１つ以上の実施形態に係る締結具組立体の斜視図を示す。
【図２】本書に開示する１つ以上の実施形態に係る締結具組立体の断面図を示す。
【図３】本書に開示する１つ以上の実施形態に係る締結具組立体の分解斜視図を示す。
【図４】本書に開示する１つ以上の実施形態に係る締結具組立体の分解側面図を示す。
【図５】本書に開示する１つ以上の実施形態に係る締結具組立体の上面斜視図である。
【図６】本書に開示する１つ以上の実施形態に係る締結具組立体の底面斜視図を示す。
【図７】本書に開示する１つ以上の実施形態に係る締結具組立体の断面図を示す。
【図８】本書に開示する１つ以上の実施形態に係る締結具組立体の分解斜視図を示す。
【図９Ａ】本書に開示する１つ以上の実施形態に係る締結具組立体の断面図を示す。
【図９Ｂ】本書に開示する１つ以上の実施形態に係る締結具組立体の断面図を示す。
【図１０Ａ】本書に開示する１つ以上の実施形態に係る締結具組立体の斜視図を示す。
【図１０Ｂ】本書に開示する１つ以上の実施形態に係る締結具組立体の断面図を示す。
【図１１Ａ】本書に開示する１つ以上の実施形態に係る締結具組立体の斜視図を示す。
【図１１Ｂ】本書に開示する１つ以上の実施形態に係る締結具組立体の断面図を示す。
【図１２Ａ】本書に開示する１つ以上の実施形態に係る環体を示す。
【図１２Ｂ】本書に開示する１つ以上の実施形態に係る環体を示す。
【図１３Ａ】本書に開示する１つ以上の実施形態に係る環体を示す。
【図１３Ｂ】本書に開示する１つ以上の実施形態に係る環体を示す。
【図１４Ａ】本書に開示する１つ以上の実施形態に係る環体を示す。
【図１４Ｂ】本書に開示する１つ以上の実施形態に係る環体を示す。
【図１５Ａ】本書に開示する１つ以上の実施形態に係る環体を示す。
【図１５Ｂ】本書に開示する１つ以上の実施形態に係る環体を示す。
【図１６Ａ】本書に開示する１つ以上の実施形態に係る作業装置の周りに設置された締結具組立体を示す。
【図１６Ｂ】本書に開示する１つ以上の実施形態に係る作業装置の周りに設置された締結具組立体を示す。
【図１６Ｃ】本書に開示する１つ以上の実施形態に係る作業装置の周りに設置された締結具組立体を示す。
【図１７】本書に開示する１つ以上の実施形態に係る、作用面の周りに設置された締結具組立体を示す。
【図１８】本書に開示する１つ以上の実施形態に係る、作用面の周りに設置された締結具組立体を示す。
【図１９】本書に開示する１つ以上の実施形態に係る、作用面の周りに設置された締結具組立体を示す。
【図２０】本書に開示する１つ以上の実施形態に係る、作用面の周りに設置された締結具組立体を示す。
【発明を実施するための形態】
【００２２】
本書に開示する発明は、法定要件を満たすために具体的に記載されている。しかし、記載自体は本発明の範囲を限定することを意図するものではない。むしろ、発明者は、請求する発明が、他の現在または将来の技術と併せて、本書に記載するステップまたは要素に類似する他のステップまたは要素を含む、他の形で実現することもできると予想している。
【００２３】
図１は、本書に開示する１つ以上の実施形態に係る、一般的に１０と指定される締結具組立体の斜視図である。締結具組立体１０は、ナット１２と、ナット１２によって担持することのできる圧縮カラー２４とを含む。圧縮カラー２４は、ナット１２に対して一定の向きを有し、あるいはナットを中心に回転運動できるように設けることができる。シャンク２２を有する細長い締結具２０を設けることができる。細長い締結具２０は、締結具２０がそれを中心に回転することのできる表面を提供するためのヘッド１８を含むことができる。ヘッド１８は六角ヘッドとして図示されているが、任意の適切な形状、大きさ、および構成にすることができる。
【００２４】
さらに、図２の断面図、図３の分解斜視図、および図４の断面図に関連して、ナット１２はさらに雌ねじ部１４を含むことができる。雌ねじ部１４は、並目（ｃｏａｒｓｅ）、細目（ｆｉｎｅ）、または他の適切に構成されたねじ部とすることができる。環体１６は、ナット１２から延びることができる。環体１６は雌ねじ部を有することができ、あるいは図２に示すように一般的にねじ部が無くてもよい。環体１６は、細長い締結具２０のシャンク２２を受容するように構成される。環体１６は、ナット１２と固定係合することができ、あるいは代替的に、回転自在にまたはその他の仕方で非固定的にナットと係合することができる。
【００２５】
環体１６は、図２、図３、および図４に示すように、一般的に収束するテーパを備えることができる。代替的に、環体１６は、ナット１２から略垂直に延びる部分を備えることができる。さらに、環体１６は、例えば摩擦係数を向上するためのナイロンの挿入部（ｉｎｓｅｒｔ）、接着性を向上するための接着剤ベースの基板、シャンクに対面する表面に形成された１つ以上の溝またはテクスチャ等のような、１つ以上の追加的特徴を含みまたは備えることができる。周方向に延びるショルダ３０は、環体１６のいずれかの部分に形成することができ、圧縮カラー２４に受容されるように構成される。環体１６は、シャンク２２の周りに環体１６の屈曲点をもたらすために、その長さに沿って切欠き部３４を備えることができる。
【００２６】
圧縮カラー２４を図３および図４にさらに詳細に示す。圧縮カラー２４は、図２に示すように、作用面の周りでナット１２を締め付けたときに、環体１６を撓ませるように構成される。環体１６の撓みは、圧縮カラー２４の内溝３０に当接する環体１６の周りに形成される相互作用によって生じる。圧縮カラー２４の内溝３０は、環体１６が撓んでいない状態のときに、環体１６の対応する直径寸法より小さい寸法を有する。内溝３０はテーパを備えることができる。
【００２７】
環体１６の周方向に延びるショルダ３０は、圧縮カラー２４の内溝３０内に形成されるショルダ３２によって受容されるように構成することができる。このようにして、環体１６は圧縮カラー２４のショルダ３２と係合して、１つの一体的部分である締結具組立体を形成することができる。代替的に、環体１６は、オペレータが環体１６の対向部分を押圧または狭窄し、次いで環体１６を解放する前に環体１６を圧縮カラー２４と選択的係合状態に圧縮カラー２４内に配置することができるように、圧縮および撓み特性を有することができる。１つ以上の実施形態では、内溝３０は一般的に収束するか、発散するか、あるいは略直線状の向きとすることができる。
【００２８】
環体１６の振動特性または回転防止特性を高めるために、ナット１２を作用面２６に対して締め付けたときに、圧縮カラー２４によって環体１６を圧縮することができる。例えば環体１６の圧縮は、環体１６と圧縮カラー２４との間にばね付勢係合力を誘発することができる。このようにして、誘発されたばね付勢は、締結具組立体１０を利用する機器等の使用中に発生し得る振動力を弱める。さらに、環体の内部が細長い締結具２０のシャンク２２と係合することにより、摩擦力および他の力が誘発されることがある。１つ以上の実施形態では、内側部分は、シャンク２２のねじ部を受容するように構成されたねじ部を含むことができる。
【００２９】
幾つかの特性を締結具１０と共有する締結具を図５ないし図９Ｂに示し、一般的に１１０と指定する。特に図５および図６に関連して、締結具組立体１１０は、ナット１１２と、挿入部１１２によって担持することのできる圧縮カラー１２４と、を含む。図７に示すように、シャンク１２２を有する細長い締結具１２０を設けることができる。締結具２０と同様に、細長い締結具１２０は、締結具１２０がそれを中心に回転することのできる表面を提供するためのヘッド１１８を含むことができる。ヘッド１１８は六角ヘッドとして図示されているが、任意の適切な形状、大きさ、および構成にすることができる。
【００３０】
さらに、図７の断面図、図８の分解斜視図、ならびに図９Ａおよび図９Ｂの断面図に関連して、挿入部１１２はさらに開口１１４を備えることができる。環体１１６は、挿入部１１２から延びることができる。環体１１６は雌ねじ部を有することができ、あるいは図９Ａおよび図９Ｂに示すように一般的にねじ部が無くてもよい。環体１１６は、細長い締結具１２０のシャンク１２２を受容するように構成される。環体１１６は、図９Ａおよび図９Ｂに示すように、一般的に収束するテーパを備えることができる。代替的に、環体１１６は、挿入部１１２から略垂直に延びる部分を備えることができる。加えて、環体１１６は、例えば摩擦係数を向上するためのナイロンの挿入部、接着性を向上するための接着剤ベースの基板、シャンクに対面する表面に形成された１つ以上の溝またはテクスチャ等のような、１つ以上の追加的特徴を含みまたは備えることができる。周方向に延びるショルダ１３０は、環体１６のいずれかの部分に備えることができ、圧縮カラー1２４に受容されるように構成される。環体１１６は、シャンク１２２の周りに環体１１６の屈曲点をもたらすために、その長さに沿って切欠き部１３４を備えることができる。
【００３１】
圧縮カラー１２４を図８にさらに詳細に示す。圧縮カラー１２４は、図７に示すように挿入部１１２を作用面１２６の周りで締め付けたときに、環体１１６を撓ませるように構成される。環体１１６の撓みは、圧縮カラー１２４のテーパ状内溝３０に当接する環体１１６の周りの相互作用によって引き起こされる。圧縮カラー１２４の内溝１３０は、環体１１６が撓んでいない状態のときに、環体１１６の対応する直径寸法より小さい寸法を有する。
【００３２】
環体１１６の周方向に延びるショルダ１３０は、圧縮カラー１２４の内溝１３０内に形成されるショルダ１３２によって受容されるように構成することができる。このようにして、環体１１６は、圧縮カラー１２４のショルダ１３２と係合して、１つの一体的部分である締結具組立体を形成することができる。代替的に、環体１１６は、オペレータが環体１１６の対向部分を押圧し、次いで環体１１６を解放する前に、環体１１６を圧縮カラー１２４と選択的係合状態に圧縮カラー１２４内に配置することができるように、圧縮および撓み特性を有することができる。１つ以上の実施形態では、内溝１３０は一般的に収束するか、発散するか、あるいは略直線状の向きとすることができる。
【００３３】
環体１１６の振動特性または回転防止特性を高めるために、締結具１１０を作用面１２６に対して締め付けたときに、圧縮カラー１２４によって環体１１６を圧縮することができる。例えば環体１１６の圧縮は、環体１１６と圧縮カラー１２４との間のばね付勢係合力を誘発することができる。このようにして、誘発されたばね付勢は、締結具組立体１１０を利用する機器等の使用中に発生し得る振動力を弱める。さらに、環体の内部が細長い締結具１２０のシャンク１２２と係合することにより、摩擦力および他の力が誘発されることがある。１つ以上の実施形態では、内側部分は、シャンク１２２のねじ部を受容するように構成されたねじ部を含むことができる。
【００３４】
幾つかの特性を締結具１１０と共有する締結具を図１０Ａおよび図１０Ｂに示し、一般的に２１０と指定する。締結具組立体２１０は、締結具２２０のヘッド２１８から延びる環体２１６を含む。締結具２２０はさらに、ヘッド２１８と係合するシャンク２２２を含むことができる。加工される物品の作用面２２６内に凹所２２４が形成される。凹所２２４は、図示するように正方形の切欠きとすることができ、あるいはいずれかの他の適切な形状を形成することができる。シャンク２２２と環体２１６との間に、間隙２２８を備えることができる。ヘッド２１８はさらに、作用面２２６と係合するように構成されたショルダ２３８を備えることができる。
【００３５】
環体２１６は、最初の非撓み位置で凹所２２４より大きいサイズを有する部分を有するように構成される。このようにして、締結具２２０が回転されて作用面２２６内に入ると、環体２１６は下方に押し付けられ、その圧縮を引き起こす。これは、締結具１１０で説明したのと同様の仕方で、環体２１６と凹所２２４との間にばね付勢をもたらす。環体２１６の屈曲点を備えるために、切欠き部２３４を設けることができる。
【００３６】
同様に、幾つかの特性を締結具２１０と共有する締結具を図１１Ａおよび図１１Ｂに示し、３１０と指定する。締結具組立体３１０は、締結具３２０のヘッド３１８から延びる環体３１６を含む。締結具３２０はさらに、ヘッド３１８と係合するシャンク３２２を含むことができる。環体３３６に切欠き部３３４が形成される。図１に示すカラー２４と同様の圧縮カラー３２４を設けることができる。シャンク３２２と環体３１６との間に間隙３２８を備えることができる。ヘッド３１８はさらに、作用面３２６と係合するように構成されたショルダ３３８を備えることができる。
【００３７】
環体３１６は、最初の非撓み位置で圧縮カラー３２４より大きいサイズの部分を有するように構成される。このようにして、締結具３２０が回転されて作用面３２６内に移動すると、環体３１６は下方に押し付けられ、環体３１６と圧縮カラー３２４との相互作用のため、その圧縮を引き起こす。これは、締結具１０で説明したのと同様の仕方で、環体３１６と圧縮カラー３２４との間にばね付勢をもたらす。
【００３８】
本書に開示する締結具は金属締結具とすることができ、あるいは代替的に、１つ以上の実施形態では、ポリマ系または複合材料系とすることができる。締結具は多くの適切に構成された長さ、幅、形状、または他の寸法を取ることができる。
【００３９】
図１２Ａおよび図１２Ｂは、本書に示すナットの１つ以上の実施形態に示すような切欠き部を持たないナット４１２を示す。ナット４１２は、環体４１６と、圧縮カラーと係合するためのショルダ４３０とを含むことができる。ナット４１２はさらに雌ねじ部４１４を備えることができる。
【００４０】
図１３Ａおよび図１３Ｂは、本書に示すナットの１つ以上の実施形態に示すような切欠き部を有するナット５１２を示す。ナット５１２は、環体５１６と、圧縮カラーと係合するためのショルダ５３０とを含むことができる。ショルダ５３０の周りから長手方向に延びるスロットを一般的に含む切欠き部５３４を環体５１６に形成することができる。ナット５１２はさらに雌ねじ部５１４を備えることができる。
【００４１】
図１４Ａおよび図１４Ｂは、本書に示すナットの１つ以上の実施形態に示すような切欠き部を有するナット６１２を示す。ナット６１２は、環体６１６と、圧縮カラーと係合するためのショルダ６３０とを含むことができる。周方向に延びるスロットを一般的に含む切欠き部６３４を環体６１６に形成することができる。ナット６１２はさらに、雌ねじ部６１４を備えることができる。
【００４２】
図１５Ａおよび図１５Ｂは、本書に示すナットの１つ以上の実施形態に示すような切欠き部を有するナット７１２を示す。ナット７１２は、環体７１６と、圧縮カラーと係合するためのショルダ７３０とを含むことができる。複数の周方向に間隔を置いて配置された開口部（ａｐｅｒｔｕｒｅｓ）を一般的に含む切欠き部７３４を環体７１６に形成することができる。ナット７１２はさらに、雌ねじ部７１４を備えることができる。
【００４３】
図１６Ａ、図１６Ｂ、および図１６Ｃは、１つ以上の実施形態に係る、作業装置の周りに設置される締結具組立体を示す。特に、作業装置は、ホイールスタッドのようなねじ付きシャンク８２０がハブ（図示せず）から車輪組立体８０１を介して延び、かつ締結具８１２を受容する、タイヤおよび車輪組立体として示される。図１６Ａに示す通り、締結具組立体８１２は、ねじ付きシャンク８２０から離して配置される。部分拡大図を図１６Ｂに示す。図１６Ｃに示す通り、締結具組立体８１２は、環体８１６が車輪組立体８０１の凹所内に受容されるように構成される。車輪組立体８０１の凹所は、締結具組立体８１２が締め付けられ、かつ、環体が凹所内に延入したときに、締り嵌めが図１に示した締結具１２と同様の仕方で環体８１６を内方に圧縮するような寸法特性を有するように構成される。
【００４４】
図１７は、１つ以上の実施形態に係る締結具組立体９１０を示す。締結具組立体９１０は、ボルトから延びるねじ付きシャンク９２２を有するボルト９１８を含む。ボルト９１８と作用面との間に座金組立体９２４が設けられる。環体９１６は、座金９２４から延びることができ、作用面の止まり穴内に受容されるように構成される。ボルト９１８を締め付けると、止まり穴内の環体９１６の屈曲が引き起こされ、こうして振動力を抑制する付勢力がもたらされる。
【００４５】
図１８は、本書に開示する１つ以上の実施形態に係る締結具組立体１０１０を示す。締結具組立体１０１０は、ボルトから延びるねじ付きシャンク１０２２を有するボルト１０１８を含む。ナット組立体１０２０と連絡する座金組立体１０２４が設けられる。座金組立体１０２４は、そこから延びてナット組立体１０２０の凹所内に受容されるように構成された、環体１０１６を含むことができる。ボルト１０１８およびナット組立体１０２０を締め付けると、止まり穴内の環体１０１６の屈曲が引き起こされ、こうして振動力を抑制する付勢力がもたらされる。
【００４６】
図１９は、本書に開示する１つ以上の実施形態に係る締結具組立体１１１０を示す。締結具組立体１１１０は、ボルトから延びるねじ付きシャンク１１２２を有するボルト１１１８を含む。ナット組立体１１２０と連絡する座金組立体１１２４が設けられる。座金組立体１１２４は、そこから延びてナット組立体１１２０の凹所内に受容されるように構成された、環体１１１６を含むことができる。環体１１１６はさらに、ナット組立体１１２０の周りに座金組立体１１２４を保持するように構成されたフランジ１１２１を備えることができる。ボルト１１１８およびナット組立体１１２０を締め付けると、凹所内の環体１１１６の屈曲が引き起こされ、こうして振動力を抑制する付勢力がもたらされる。
【００４７】
図２０は、本書に開示する１つ以上の実施形態に係る締結具組立体１２１０を示す。締結具組立体１２１０は、ボルトから延びるねじ付きシャンク１２２２を有するボルト１２１８を含む。ナット組立体１２２０と連絡する座金組立体１２２４が設けられる。座金組立体１２２４は、そこから延びてナット組立体１２２０の凹所内に受容されるように構成された、環体１２１６を含むことができる。環体１２１６はさらに、ナット組立体１２２０の周りに座金組立体１２２４を保持するように構成されたフランジ１２２１を備えることができる。ボルト１２１８およびナット組立体１２２０を締め付けると、凹所内の環体１２１６の屈曲が引き起こされ、こうして振動力を抑制する付勢力がもたらされる。
【００４８】
様々な図の好適な実施形態に関連して実施形態を説明したが、他の同様の実施形態を使用することができ、あるいはそこから逸脱することなく同じ機能を果たすために、記載した実施形態に対し変形または追加を施すことができることを理解されたい。したがって、開示した実施形態はいずれかの単一の実施形態に限定されるべきではなく、むしろ添付する特許請求の範囲に従って広さおよび範囲を解釈すべきである。
【図１】
2015515589.tif 000003
【図２】
2015515589.tif 000004
【図３】
2015515589.tif 000005
【図４】
2015515589.tif 000006
【図５】
2015515589.tif 000007
【図６】
2015515589.tif 000008
【図７】
2015515589.tif 000009
【図８】
2015515589.tif 000010
【図９Ａ】
2015515589.tif 000011
【図９Ｂ】
2015515589.tif 000012
【図１０Ａ】
2015515589.tif 000013
【図１０Ｂ】
2015515589.tif 000014
【図１１Ａ】
2015515589.tif 000015
【図１１Ｂ】
2015515589.tif 000016
【図１２Ａ】
2015515589.tif 000017
【図１２Ｂ】
2015515589.tif 000018
【図１３Ａ】
2015515589.tif 000019
【図１３Ｂ】
2015515589.tif 000020
【図１４Ａ】
2015515589.tif 000021
【図１４Ｂ】
2015515589.tif 000022
【図１５Ａ】
2015515589.tif 000023
【図１５Ｂ】
2015515589.tif 000024
【図１６Ａ】
2015515589.tif 000025
【図１６Ｂ】
2015515589.tif 000026
【図１６Ｃ】
2015515589.tif 000027
【図１７】
2015515589.tif 000028
【図１８】
2015515589.tif 000029
【図１９】
2015515589.tif 000030
【図２０】
2015515589.tif 000031
【国際調査報告】
2015515589.tif 000032
2015515589.tif 000033